(57)【要約】【課題】園芸用鉢に簡単に取り付けることができ、園芸用鉢に取り付けておくことで、園芸用鉢と組み合わせた状態で展示、保管でき、園芸用鉢における植物栽培等も可能であり、植物を植えた園芸用鉢とともに容易に移動することもでき、また、該園芸用鉢の使用にあたって鉢底排水孔を通過し得ない大きい粒径の土止め用の石、ボール等の配置を省略できる園芸鉢用の受皿装置を提供する。上下複数段に重ね接続可能の園芸用鉢の受皿装置セットも提供する。【解決手段】園芸用鉢Ｐの受皿１１と取付け部材１２とを含み、受皿１１は鉢底排水孔Ｈを貫通して鉢内へ突出可能の突起部１１１を有しており、部材１２は該突出する突起部１１１に接続可能で、接続により受皿１１を鉢Ｐに保持する受皿装置１。複数の受皿装置６Ａ、６Ｂからなる園芸用鉢の受皿装置セット６０。【選択図】図１
2005058196.tif 000002
【特許請求の範囲】
【請求項１】
園芸用鉢の受皿と、該受皿を該園芸用鉢に取り付ける取付け部材とを含み、前記受皿は該受皿を前記園芸用鉢の底に当てがった状態で該園芸用鉢底の排水孔を貫通して該鉢内まで突出可能の突起部を有しており、前記取付け部材は前記園芸用鉢底の排水孔から該鉢内へ突出する前記突起部に該鉢内において接続可能で接続により該突起部の前記排水孔からの抜け止めを行って該受皿を該園芸用鉢に保持するものであることを特徴とする園芸用鉢の受皿装置。
【請求項２】
前記取付け部材は前記園芸用鉢底の排水孔から該鉢内へ突出する前記受皿の突起部に該鉢内において接続された状態で該鉢の上端開口部又はほぼ該開口部に達する高さを有している請求項１記載の園芸用鉢の受皿装置。
【請求項３】
前記取付け部材は前記園芸用鉢底の排水孔から該鉢内へ突出する前記受皿の突起部に該鉢内において接続された状態で該鉢の上端開口部より上方へ達する高さを有している請求項１記載の園芸用鉢の受皿装置。
【請求項４】
前記取付け部材は上端部に物品載置台を有している請求項３記載の園芸用鉢の受皿装置。
【請求項５】
前記取付け部材は上端開口を有する中空部材であり、周側壁に通水孔又は（及び）破断して通水孔を形成できる部分を有している２、３又は４記載の園芸用鉢の受皿装置。
【請求項６】
前記取付け部材は吊り下げ具の係合部を有している請求項２から５のいずれかに記載の園芸用鉢の受皿装置。
【請求項７】
前記受皿は底面に前記取付け部材を接続可能の部材接続部を有しており、前記取付け部材は上端部に、該受皿底面の部材接続部に接続可能の受皿接続部を有している請求項２から６のいずれかに記載の園芸用鉢の受皿装置。
【請求項８】
園芸用鉢の受皿と、該受皿を該園芸用鉢に取り付ける取付け部材とを含む園芸用鉢の受皿装置であって該受皿が該取付け部材により園芸用鉢に取り付けられた状態で上下複数段に組み合わせ配置可能の複数の該受皿装置を含んでおり、
該各受皿装置における前記受皿は該受皿を前記園芸用鉢の底に当てがった状態で該園芸用鉢底の排水孔を貫通して該鉢内まで突出可能の突起部及び受皿底面に設けられた部材接続部を有しており、前記取付け部材は前記園芸用鉢底の排水孔から該鉢内へ突出する前記突起部に該鉢内において接続可能で該接続により該突起部の前記排水孔からの抜け止めを行って該受皿を該園芸用鉢に保持するものであり、
前記複数の受皿装置のうち最上段により下方に配置される各受皿装置における取付け部材は、前記突起部への接続状態で園芸用鉢の上端開口部又はほぼ該開口部に達する高さを有しており、上隣りに配置される受皿装置における受皿底面の前記部材接続部に接続可能の受皿接続部を有していることを特徴とする園芸用鉢の受皿装置セット。
【請求項９】
園芸用鉢の受皿と、該受皿を該園芸用鉢に取り付ける取付け部材とを含む園芸用鉢の受皿装置であって該受皿が該取付け部材により園芸用鉢に取り付けられた状態で上下複数段に組み合わせ配置可能の複数の該受皿装置を含んでおり、
該各受皿装置における前記受皿は該受皿を前記園芸用鉢の底に当てがった状態で該園芸用鉢底の排水孔を貫通して該鉢内まで突出可能の突起部及び受皿底面に設けられた部材接続部を有しており、前記取付け部材は前記園芸用鉢底の排水孔から該鉢内へ突出する前記突起部に該鉢内において接続可能で該接続により該突起部の前記排水孔からの抜け止めを行って該受皿を該園芸用鉢に保持するものであり、
前記複数の受皿装置のうち最上段により下方に配置される各受皿装置における取付け部材は、前記突起部への接続状態で園芸用鉢の上端開口部より上方へ達する高さを有しており、上隣りに配置される受皿装置における受皿底面の前記部材接続部に接続可能の受皿接続部を有していることを特徴とする園芸用鉢の受皿装置セット。
【請求項１０】
前記複数の受皿装置のそれぞれの受皿が取付け部材により園芸用鉢に取り付けられた状態で該複数の受皿装置が上下複数段に組み合わせ接続された状態で最上段の園芸用鉢に供給される水が最下段の園芸用鉢まで達し得るように、各上下に隣り合う受皿装置における上側受皿の前記部材接続部とこれに接続される下側取付け部材の前記受皿接続部のそれぞれに通水路が形成されている請求項８又は９記載の園芸用鉢の受皿装置セット。
【請求項１１】
前記複数の受皿装置のうち最下段に配置される受皿装置における受皿底面の前記部材接続部に接続可能の排水管をさらに含んでいる請求項８から１０のいずれかに記載の園芸用鉢の受皿装置セット。
【請求項１２】
前記複数の受皿装置のうち少なくとも一つの受皿装置における前記取付け部材は中空に形成されているとともに周側壁に通水孔又は（及び）破断して通水孔を形成できる部分を有している請求項８から１１のいずれかに記載の園芸用鉢の受皿装置セット。
【請求項１３】
前記複数の受皿装置のうち最上段に配置される受皿装置における前記取付け部材は、前記園芸用鉢底の排水孔から該鉢内へ突出する受皿の突起部に該鉢内において接続された状態で該鉢の上端開口部又はほぼ該開口部に達する高さを有しているか、又は該上端開口部より上方へ達する高さを有しており、吊り下げ具の係合部を有している請求項８から１２のいずれかに記載の園芸用鉢の受皿装置セット。
【発明の詳細な説明】
【技術分野】
【０００１】  本発明は園芸用鉢の受皿装置及び受皿装置セットに関する。
【背景技術】
【０００２】  従来、草花類、小木等の植物を鉢植えする場合、様々の園芸用鉢が用いられてきた。かかる園芸用鉢は、これで植物を栽培したり、観賞したりするとき、鉢底の孔から鉢内の土等が零れ出たり、灌水時の水が流れ出てたりし周囲を汚すことを防止する等のために、園芸用鉢を受皿で受けることが広く行われている。
【発明の開示】
【発明が解決しようとする課題】
【０００３】  しかしながら、かかる園芸用鉢とその受皿は互いに分離されていたため次のような問題があった。すなわち、【０００４】１．植物を栽培している園芸用鉢とこれを受けている受皿を移動させる場合、それらを別々に目的の位置まで移動させ、そこで鉢を受皿にのせなおす場合が多々あるが、かかる作業は移動させるべき鉢及び受皿の数が多くなってくると、多くの労力を要し、面倒である。【０００５】２．園芸用鉢としてサイズ等の点で種々異なるものを販売、使用等のために展示、保管等する場合、それぞれの種類の鉢に応じた受皿も展示、保管等しなければならないが、その場合、鉢とそれに応じた受皿を一々さがし出して組み合わせなければならず、その作業は面倒である。予め鉢とそれにみあった受皿とを組み合わせて展示、保管しようとし、且つ、それらの配置スペースの節約のために積み重ねると崩れやすい。【０００６】３．一般に園芸用鉢の底には排水孔があるが、かかる園芸用鉢に、土、肥料等入れるとき、それらが排水孔から出てしまうことを抑制するため、該鉢孔に対し該孔を通過し得ない粒径の土止め用の石やボール等を配置しなければならず、そのために石、ボール等をわざわざ準備しなければならない。【０００７】４．植物を植えた園芸用鉢とその受皿とをセットにしたものは、上下に積み重ねるようにしては使用できないし、特別の吊り下げ装置でも準備しなければ上下に隣り合う鉢の間隔をあけて上下に複数に配置することもできない。【０００８】５．植物を植えた園芸用鉢とその受皿とをセットにしたものが複数ある場合、それら複数のセットに灌水するときには、一つ一つに灌水しなければならず、灌水作業が面倒である。【０００９】  そこで本発明は、園芸用鉢に簡単に取り付けることができ、園芸用鉢に取り付けておくことで、園芸用鉢と組み合わせた状態で展示、保管でき、園芸用鉢における植物栽培等も可能であり、植物を植えた園芸用鉢とともに容易に移動することもでき、また、該園芸用鉢の使用にあたって鉢底排水孔を通過し得ない大きい粒径の土止め用の石、ボール等の配置を省略できる園芸鉢用の受皿装置を提供することを第１の課題とする。【００１０】  また本発明は、前記第１の課題を解決できるとともに、複数の園芸用鉢をそれぞれに受皿を組み合わせた状態で上下複数段に接続することを可能とし、ひいては園芸用鉢とその受皿とをセットにした状態のものを崩れ難い状態で上下に複数段に重ね接続して展示、保管できる園芸用鉢の受皿装置を提供することを第２の課題とする。【００１１】  また本発明は、前記第１の課題を解決できるとともに、複数の園芸用鉢をそれぞれに受皿を組み合わせた状態で上下複数段に、且つ、上下に隣り合う園芸用鉢間に間隔をあけて接続することを可能とし、ひいては園芸用鉢とその受皿とをセットにした状態のものを崩れ難い状態で上下に複数段に重ね接続して各園芸用鉢での植物栽培等を可能にする園芸用鉢の受皿装置を提供することを第３の課題とする。【００１２】  また本発明は、園芸用鉢とその受皿とをセットにした状態のものを崩れ難い状態で上下に複数段に重ね接続して展示、保管できる園芸用鉢の受皿装置セットを提供することを第４の課題とする。【００１３】  また本発明は、園芸用鉢とその受皿とをセットにした状態のものを崩れ難い状態で上下に複数段に重ね接続して各園芸用鉢での植物栽培等を可能にする園芸用鉢の受皿装置セットを提供することを第５の課題とする。【００１４】  また本発明は、前記第５の課題を解決できるとともに、上下複数段に重ねられた複数の園芸用鉢のうち最上段の鉢に灌水すれば最下段の鉢にも灌水をおよぼすことができる園芸用鉢の受皿装置セットを提供することを第６の課題とする。
【課題を解決するための手段】
【００１５】  本発明は前記第１の課題を解決するため、
園芸用鉢の受皿と、該受皿を該園芸用鉢に取り付ける取付け部材とを含み、前記受皿は該受皿を前記園芸用鉢の底に当てがった状態で該園芸用鉢底の排水孔を貫通して該鉢内まで突出可能の突起部を有しており、前記取付け部材は前記園芸用鉢底の排水孔から該鉢内へ突出する前記突起部に該鉢内において接続可能で接続により該突起部の前記排水孔からの抜け止めを行って該受皿を該園芸用鉢に保持するものである園芸用鉢の受皿装置を提供する。【００１６】  この受皿装置によると、該装置における受皿を園芸用鉢の底に当てがって突起部を園芸用鉢底の排水孔から鉢内まで突出させ、鉢内において該突起部に取付け部材を接続することで該受皿を簡単容易に園芸用鉢に保持させることができる。【００１７】  このように園芸用鉢に取り付けておくことで、園芸用鉢と組み合わせた状態で展示、保管でき、園芸用鉢における植物栽培等も可能であり、植物を植えた園芸用鉢とともに容易に移動することもでき、また、該園芸用鉢の使用にあたって鉢底排水孔を通過し得ない大きい粒径の土止め用の石、ボール等の配置を省略できる。【００１８】  突起部や取付け部材は、これらを相互に接続したとき、なお鉢底排水孔からの排水が可能とするものが好ましく、そのために、突起部及び（又は）取付け部材に排水孔からの排水を可能にする、又は促す通水路を形成しておいてもよい。【００１９】  取付け部材のサイズ、特に高さについては、園芸用鉢底の排水孔から該鉢内へ突出する前記受皿の突起部に該鉢内において接続された状態で、該鉢の上端開口部又はほぼ該開口部に達する高さとしてもよく、該開口部より上方へ立ち上がる高さとしてもよい。【００２０】  取付け部材をこのような高さのものとする場合、取付け部材は上端開口を有する中空部材とし、周側壁に通水孔又は（及び）破断して通水孔を形成できる部分を有するものとしてもよい。このような取付け部材は鉢内への灌水や施肥を上端開口から周側壁の通水孔を介して行えるので便利である。【００２１】  また、取付け部材が鉢の上端開口部より上方へ達する高さのものである場合、該取付け部材の上端部に物品載置台を設けてもよい。【００２２】  また、取付け部材が鉢の上端開口部又はほぼ該開口部に達する高さ、或いは該開口部より上方へ達する高さのものである場合、取付け部材に吊り下げ具の係合部を設けておいてもよい。【００２３】  取付け部材が鉢の上端開口部又はほぼ該開口部に達する高さ、或いは該開口部より上方へ達する高さのものである場合、受皿の底面に該取付け部材を接続可能の部材接続部を形成しておき、該取付け部材上端部に、該受皿底面の部材接続部に接続可能の受皿接続部を設けておいてもよい。このような受皿装置は、それ自体は、前記第１の課題を解決できるものである。【００２４】  そして、二つ以上ある場合には、それぞれを園芸用鉢に取付けて上下複数段に配置するとともに上下に隣り合う受皿装置において、上側のものの受皿底面の部材接続部に下側のものの取付け部材の受皿接続部を接続することで、園芸用鉢をそれぞれに受皿を組み合わせた状態で上下複数段に崩れ難い状態で重ね接続することが可能であり、そのように重ね接続することで、園芸用鉢と受皿とをセットにした状態のものを崩れ難い状態で上下に複数段に重ね接続してコンパクトに展示、保管できる。本発明は前記第２の課題を解決するためこのような受皿装置も提供する。【００２５】  また、かかる受皿装置において、取付け部材が鉢の上端開口より上方へ達する高さのものである場合、それ自体は前記第１の課題を解決できるものであり、二つ以上ある場合、それらは、複数の園芸用鉢をそれぞれに受皿を組み合わせた状態で上下複数段に、且つ、上下に隣り合う園芸用鉢間に間隔をあけて接続することを可能とし、ひいては園芸用鉢とその受皿とをセットにした状態のものを崩れ難い状態で上下に複数段に重ね接続して各園芸用鉢での植物栽培等を可能にする。このような受皿装置により前記第３の課題を解決することができる。【００２６】  本発明は、さらに、前記第４の課題を解決するため、
園芸用鉢の受皿と、該受皿を該園芸用鉢に取り付ける取付け部材とを含む園芸用鉢の受皿装置であって該受皿が該取付け部材により園芸用鉢に取り付けられた状態で上下複数段に組み合わせ配置可能の複数の該受皿装置を含んでおり、
該各受皿装置における前記受皿は該受皿を前記園芸用鉢の底に当てがった状態で該園芸用鉢底の排水孔を貫通して該鉢内まで突出可能の突起部及び受皿底面に設けられた部材接続部を有しており、前記取付け部材は前記園芸用鉢底の排水孔から該鉢内へ突出する前記突起部に該鉢内において接続可能で該接続により該突起部の前記排水孔からの抜け止めを行って該受皿を該園芸用鉢に保持するものであり、
前記複数の受皿装置のうち最上段により下方に配置される各受皿装置における取付け部材は、前記突起部への接続状態で該鉢の上端開口部又はほぼ該開口部に達する高さを有しているか、或いは該上端開口部より上方へ達する高さを有しており、上隣りに配置される受皿装置における受皿底面の前記部材接続部に接続可能の受皿接続部を有している園芸用鉢の受皿装置セットを提供する。【００２７】  この受皿装置セットによると、それぞれの受皿装置を園芸用鉢に取付けて上下複数段に配置するとともに上下に隣り合う受皿装置において、上側のものの受皿底面の部材接続部に下側のものの取付け部材の受皿接続部を接続することで、園芸用鉢をそれぞれに受皿を組み合わせた状態で上下複数段に崩れ難い状態で重ね接続することが可能であり、そのように重ね接続することで、園芸用鉢とその受皿とをセットにした状態のものを崩れ難い状態で上下に複数段に重ね接続してコンパクトに展示、保管できる。【００２８】  かかる受皿装置セットにおいて、最上段より下側に配置される取付け部材が突起部への接続状態で鉢の上端開口部より上方へ達する高さを有している場合は、それぞれの受皿装置を園芸用鉢に取付けて上下複数段に配置するとともに上下に隣り合う受皿装置において、上側のものの受皿底面の部材接続部に下側のものの取付け部材の受皿接続部を接続することで、園芸用鉢をそれぞれに受皿を組み合わせた状態で上下複数段に、且つ、上下に隣り合う園芸用鉢間に間隔をあけて接続することが可能であり、そのように重ね接続することで、園芸用鉢とその受皿とをセットにした状態のものを崩れ難い状態で上下に複数段に重ね接続して各園芸用鉢で植物栽培等を行える。このような園芸用鉢の受皿装置セットにより前記第５の課題を解決することができる。【００２９】  以上説明したいずれの受皿装置セットにおいても、各受皿装置における突起部や取付け部材は、これらを相互に接続したとき、なお鉢底排水孔からの排水を可能とするものが好ましく、そのために、突起部及び（又は）取付け部材に排水孔からの排水を可能にする、又は促す通水路を形成しておいてもよい。【００３０】  また、本発明は前記第６の課題を解決するため、複数の受皿装置のそれぞれの受皿が取付け部材により園芸用鉢に取り付けられ、該複数の受皿装置が上下複数段に組み合わせ接続された状態で最上段の園芸用鉢に供給される水を最下段の園芸用鉢まで到達させ得る受皿装置セットも提供する。【００３１】  そのように水が最上段鉢から最下段鉢まで達するようにするために、例えば、各上下に隣り合う受皿装置における上側受皿の前記部材接続部とこれに接続される下側取付け部材の前記受皿接続部のそれぞれに通水路を形成することができる。【００３２】  水が最上段鉢から最下段鉢まで達する受皿装置セットの場合、複数の受皿装置のうち最下段に配置される受皿装置における受皿の前記部材接続部に接続可能の排水管をさらに含んでいてもよい。【００３３】  以上説明したいずれの受皿装置セットにおいても、前記複数の受皿装置のうち少なくとも一つの受皿装置における前記取付け部材は中空に形成し、周側壁に通水孔又は（及び）破断して通水孔を形成できる部分を設けておいてもよい。【００３４】  また、前記複数の受皿装置のうち最上段に配置される受皿装置における前記取付け部材は、園芸用鉢底の排水孔から鉢内へ突出する受皿の突起部に該鉢内において接続された状態で該鉢の上端開口部又はほぼ該開口部に達する高さを有するか、又は該上端開口部より上方へ達する高さを有するものとし、吊り下げ具の係合部を設けてもよい。
かかる係合部にて上下複数段に重ね接続された受皿装置セットを園芸用鉢とともに吊り下げ支持して、展示、保管、植物栽培等を行える。
【発明の効果】
【００３５】  以上説明したように本発明によると、園芸用鉢に簡単に取り付けることができ、園芸用鉢に取り付けておくことで、園芸用鉢と組み合わせた状態で展示、保管でき、園芸用鉢における植物栽培等も可能であり、植物を植えた園芸用鉢とともに容易に移動することもでき、また、該園芸用鉢の使用にあたって鉢底排水孔を通過し得ない大きい粒径の土止め用の石、ボール等の配置を省略できる園芸鉢用の受皿装置（第１受皿装置）を提供することができる。【００３６】  また本発明によると、かかる第１受皿装置であって、複数の園芸用鉢をそれぞれに受皿を組み合わせた状態で上下複数段に接続することを可能とし、ひいては園芸用鉢とその受皿とをセットにした状態のものを崩れ難い状態で上下に複数段に重ね接続して展示、保管できる園芸用鉢の受皿装置を提供することができる。【００３７】  また本発明によると、第１受皿装置であって、複数の園芸用鉢をそれぞれに受皿を組み合わせた状態で上下複数段に、且つ、上下に隣り合う園芸用鉢間に間隔をあけて接続することを可能とし、ひいては園芸用鉢とその受皿とをセットにした状態のものを崩れ難い状態で上下に複数段に重ね接続して各園芸用鉢での植物栽培等を可能にする園芸用鉢の受皿装置を提供することができる。【００３８】  さらに、本発明によると、園芸用鉢とその受皿とをセットにした状態のものを崩れ難い状態で上下に複数段に重ね接続して展示、保管できる園芸用鉢の受皿装置セットを提供することができる。【００３９】  また本発明によると、園芸用鉢とその受皿とをセットにした状態のものを崩れ難い状態で上下に複数段に重ね接続して各園芸用鉢での植物栽培等を可能にする園芸用鉢の受皿装置セットを提供することができる。【００４０】  また本発明によると、かかる受皿装置セットであって、上下複数段に重ねられた複数の園芸用鉢のうち最上段の鉢に灌水すれば最下段の鉢にも灌水をおよぼすことができる園芸用鉢の受皿装置セットを提供することができる。
【発明を実施するための最良の形態】
【００４１】  以下本発明の実施形態について図面を参照して説明する。
図１は本発明に係る園芸用鉢の受皿装置の１例を示している。図１の受皿装置１は園芸用鉢Ｐの受皿１１と、これを鉢Ｐに取付け固定するための取付け部材１２とからなっている。受皿１１はその内底中央部に突起部１１１が一体的に立設されている。突起部１１１の上端部は雄ねじ部１１２に形成されている。取付け部材１２は雄ねじ部１１２に螺合可能の雌ねじ部１２１とその下面に一体的に、且つ、所定の中心角度間隔で突設された支持足部１２２とからなっている。雌ねじ部１２１の外径は鉢底排水孔Ｈの内径より大きい。【００４２】  この受皿装置１は、受皿１１を園芸用鉢Ｐの底に当てがって突起部１１１を鉢底の排水孔Ｈから鉢内まで突出させ、鉢内において該突起部１１１に取付け部材１２の雌ねじ部１２１を螺合させ、これにより突起部１１１に取付け部材１２を接続することで、受皿１１を簡単容易に園芸用鉢Ｐに取り付けることができる。【００４３】  このように受皿１１を鉢Ｐに取り付けた状態では、鉢内底と取付け部材の雌ねじ部１２１の下面との間には取付け部材の支持足部１２２により通水のための隙間が形成される。なお、突起部１１１と取付け部材１２との接続はかかるねじ機構に限定されず、他の手段例えば、ピンによる相互連結機構、相互嵌着機構等によって行うようにしてもよい。【００４４】  この受皿装置１によると、図１に示すように園芸用鉢Ｐに取り付けておくことで、園芸用鉢Ｐと組み合わせた状態で展示、保管できる。園芸用鉢Ｐにおける植物栽培等も可能である。植物を植えた園芸用鉢Ｐとともに容易に移動することもできる。園芸用鉢Ｐの使用にあたって鉢底排水孔Ｈを通過し得ない大きい粒径の土止め用の石、ボール等の配置を省略できる。なお、このような利点は後ほど説明する受皿装置２等においても同様である。【００４５】  図２は本発明に係る園芸用鉢の受皿装置の他の例を示している。図２の受皿装置２は図１の受皿装置１において取付け部材１２を円筒状の取付け部材１３に変更したものである。取付け部材１３は下端部内に雌ねじ部１３１を有しており、これを受皿突起部の雄ねじ部１１２に螺合させることで突起部１１１に取付け部材１３を接続することができる。
なお、この場合においても、突起部１１１と取付け部材１３との接続はかかるねじ機構に限定されず、他の手段例えば、ピンによる相互連結機構、相互嵌着機構等によって行うようにしてもよい。【００４６】  取付け部材１３を突起部１１１に接続した状態では、取付け部材１３の下端が鉢内底に安定的に着座し、鉢Ｐの上端開口部Ｐｏまで立ち上がる。取付け部材１３には、その下端部に所定中心角度間隔で通水孔１３４も形成してあり、周側壁には通水孔１３２及び破断により通水孔にできる薄膜部１３３を形成してある。
この受皿装置２によると、例えば取付け部材１３の上端開口１３５から灌水や施肥を行えば、それは通水孔１３２や破断により通水孔とされた部分から鉢内におよぶ。
なお、かかる通水孔１３２や破断により通水孔とされる部分１３３は必ずしも要しない。【００４７】  図３は本発明に係る園芸用鉢の受皿装置のさらに他の例を示している。図３の受皿装置３は図１の受皿装置１において、受皿１１の突起部１１１として上端部にピン孔１１３を形成した受皿１１を採用するとともに、取付け部材１２に代えて取付け部材１４を採用したものである。【００４８】  取付け部材１４は円筒形のもので、下端に鉢内底に当接するフランジ１４１を備えているとともにその直上に所定中心角度間隔で通水孔１４４を備えている。また上端部には吊り下げ具の係合部（本例ではフックＦを引っかける孔）１４３を備えている。【００４９】  この取付け部材１４は、鉢内に突出した受皿突起部１１１に外嵌させるとともにフランジ１４１を鉢底に安定的に当接させ、その状態でピン１４２を部材周側壁のピン孔ｈ及び突起部ピン孔１１３に挿通させることで、突起部１１１に接続することができる。この接続状態において、取付け部材１４は鉢の上端開口部Ｐｏより上方まで立ち上がり、例えば、鉢Ｐに植える植物の支持体等として利用でき、また、吊り下げ支持に利用できる。【００５０】  なお、取付け部材１４と突起部１１１との相互接続は、かかるピン連結機構によらず、ネジ機構、相互嵌着機構等によってもよい。また、取付け部材１４の周側壁には図２に示す通水孔等を形成してもよい。【００５１】  図４は本発明に係る園芸用鉢の受皿装置のさらに他の例を示している。図４の受皿装置４は図２の受皿装置２において、取付け部材１３に代えて取付け部材１３０を採用したものである。取付け部材１３０は図２に示す取付け部材１３を鉢Ｐの上端開口部Ｐｏより上方まで立ち上がるように延長したものであり、他の点は部材１３と同じである。【００５２】  取付け部材１３０の上端部には物品載置台１３５を設けてある。取付け部材１３０の上端部にはさらに例えば図３に示すような吊り下げ具の係合部を形成してもよい。【００５３】  図５は本発明に係る園芸用鉢の受皿装置のさらに他の例を示している。図５の受皿装置５は図１の受皿装置１において、受皿１１の下面から突起部１１１へ部材接続部（本例では円錐形の穴）１１４をさらに形成した受皿１１を採用するとともに、取付け部材１２に代えて取付け部材１５を採用したものである。【００５４】  取付け部材１５は円柱形のもので、下端部下面から上へ延びる雌ねじ穴１５１を有するとともに下端部周面に所定中心角度間隔で設けた支持翼部１５２を有し、さらに上端に受皿への接続部（本例では円錐形突起部）１５３及びフランジ１５４を有している。【００５５】  この受皿装置５によると、鉢Ｐの排水孔Ｈから鉢内へ突出させた受皿突起部１１１の雄ねじ部１１２に取付け部材１５の雌ねじ穴１５１を螺合させるとともに支持翼部１５２を鉢内底に安定的に着座させることで、受皿１１を鉢Ｐに取り付けることができる。【００５６】  この状態では、取付け部材１５は鉢の上端開口部Ｐｏより上方まで立ち上がり、鉢植えした植物の支柱等として利用できる。支持翼部１５２が鉢内底に着座することで取付け部材本体の下面が鉢内底より離れ、これにより通水路が形成される。【００５７】  個々の受皿装置５はこ��ように受皿１１を取付け部材１５で鉢Ｐに取り付けた状態で展示、保管、植物栽培等に利用できる。
そしてこの受皿装置５は、図５に示すように、二つ以上を上下複数段にくずれ難い状態で重ね接続して、展示、保管、植物栽培等できる。【００５８】  すなわち、図５に示すように、各受皿装置５を鉢Ｐに取付けて上下複数段に配置するとともに上下に隣り合う受皿装置５、５において、上側のものの受皿底面の穴１１４に下側のものの取付け部材１５の受皿接続用突起部１５３を嵌着接続することで、複数の園芸用鉢Ｐをそれぞれに受皿１１を組み合わせた状態で上下複数段に崩れ難い状態で重ね接続することが可能である。【００５９】  そのように重ね接続することで、園芸用鉢Ｐと受皿１１とをセットにした状態のものを崩れ難い状態で上下に複数段に重ね接続してコンパクトに展示、保管できる。また、各園芸用鉢Ｐでの植物栽培等も可能である。なお、本例では、突起部１５３を受皿下面穴１１４に嵌めたとき、取付け部材上端のフランジ１５４が上側受皿１１の下面に安定的に当接するようになっている。【００６０】  個々の受皿装置５において受皿突起部１１１に取付け部材１５を接続し、かかる状態で上下に隣り合う受皿装置において下側のものの取付け部材１５の突起部１５３を上側のものの受皿下面穴１１４に嵌めることで、複数の受皿装置５を上下複数段に重ね接続して展示、保管等することも可能である。
いずれにしても、複数の受皿装置５により受皿装置セットを提供することも可能である。【００６１】  なお、受皿下面穴１１４と取付け部材突起部１５３とによる接続に代えて、上側受皿１１と下側取付け部材１５との接続をより確かなものにする接続機構、例えばねじ機構による接続機構を採用することも可能である。また、取付け部材１５は鉢Ｐの上端開口部Ｐｏより上方へ達する高さのものであるが、鉢の上端開口部Ｐｏ又はほぼ該開口部に達する程度の高さのものでも上下複数段に重ね接続できればよく、それにより重ね接続状態で展示、保管可能である。また、取付け部材１５の上端部には吊り下げ具の係合部を設けておいてもよい。さらに、取付け部材１５は中空部材として周側壁に通水孔及び（又は）破断により通水孔とできる部分を形成しておいてもよい。【００６２】  図６は本発明に係る園芸用鉢の受皿装置セットの例を示している。この受皿装置セット６０は複数（図示例では二つ）の受皿装置６Ａ、６Ｂを含んでいる。
上側の受皿装置６Ａは、図５に示す受皿装置５において、受皿１１の下面から突起部１１１へ向かう円錐形穴１１４に代えて雌ねじ穴１１５を形成するとともに該雌ねじ穴に連通する複数の通水路１１６を形成した受皿１１を採用し、取付け部材１５に代えて取付け部材１６を採用したものである。【００６３】  取付け部材１６は図５に示す取付け部材１５において、上端部構造を吊り下げ具の係合部（本例ではフックＦを引っかける孔）１６１を形成した構造に変更したものであり、その他の点は取付け部材１５と同様である。【００６４】  受皿装置６Ａは、例えば園芸用鉢Ｐの排水孔Ｈから鉢内へ突出させた受皿突起部１１１の雄ねじ部１１２に取付け部材１６の下端部雌ねじ部１５１を螺合させることで受皿１１を鉢Ｐに取り付けることができる。この状態で展示、保管、使用等できる。【００６５】  受皿装置６Ｂは、受皿装置６Ａにおいて、取付け部材１６に代えて取付け部材１７を採用したものである。受皿については装置６Ａのものと同じである。【００６６】  取付け部材１７は、装置６Ａの取付け部材１６において、上端部構造を受皿１１の下面雌ねじ穴１１５に螺合可能の雄ねじ部１７１とその直ぐ下のフランジ１７２を有する構造に変更するとともに、内部に雄ねじ部１７１の上端に開口する通水路１７３を形成し、さらに、周面から該通水路１７３に連通する複数の通水路１７４を形成したものである。その他の点は取付け部材１６と同構造である。【００６７】  受皿装置６Ｂは、例えば園芸用鉢Ｐ１の排水孔Ｈ１から鉢内へ突出させた受皿突起部１１１の雄ねじ部１１２に取付け部材１７の下端部雌ねじ穴１５１を螺合させることで受皿１１を鉢Ｐ１に取り付けることができる。この状態で展示、保管、使用等できる。【００６８】  そして、装置６Ｂを装置６Ａの下側に配置するとともに、装置６Ｂの取付け部材１７の上端雄ねじ部１７１を上側受皿１１の下面雌ねじ穴１１５に螺合させることで、上下の装置６Ａ、６Ｂを園芸用鉢Ｐ、Ｐ１とともに上下に重ね接続することができ、この状態で展示、保管、植物栽培等できる。【００６９】  また、上段の鉢Ｐに灌水や施肥を行うと、それは上段装置６Ａの取付け部材１６の支持翼部１５２にて部材１６下に提供された通水路、鉢の排水孔Ｈ、受皿突起部１１１に形成した通水路１１６、受皿雌ねじ穴１１５、下側取付け部材１７の通水路１７３、１７４を介して下側鉢Ｐ１にも供給され、さらに、下側鉢Ｐ１から下方へも供給可能である。【００７０】  かかる受皿装置セット６０によると、受皿装置６Ａ、６Ｂのそれぞれを園芸用鉢Ｐ、Ｐ１に取付けて上下複数段に配置するとともに上下に隣り合う受皿装置において、上側のものの受皿底面の部材接続部（本例では雌ねじ穴１１５）に下側のものの取付け部材１７の受皿接続部（本例では雄ねじ部１７１）を接続することで、園芸用鉢Ｐ、Ｐ１をそれぞれに受皿１１を組み合わせた状態で上下複数段に、且つ、上下に隣り合う園芸用鉢間に間隔をあけて接続することが可能であり、そのように重ね接続することで、園芸用鉢とその受皿とをセットにした状態のものを崩れ難い状態で上下に複数段に重ね接続して展示、保管でき、また、各園芸用鉢で植物栽培等を行える。【００７１】  図６には受皿装置は２段に接続されているだけであるが、下段の装置６Ｂにさらに複数の同様の装置６Ｂを順次接続することも可能である。また、最下段の装置における受皿１１の下面雌ねじ穴１１５には、排水管Ｗを接続することもできる。【００７２】  なお、図６に示す例では、取付け部材１６や１７は鉢の上端開口部より上方へ達する高さのものであるが、鉢の上端開口部又はほぼ該開口部に達する程度の高さのものでも上下複数段に重ね接続できればよく、それにより重ね接続状態で展示、保管が可能である。
また、最上段の鉢への灌水や施肥を最下段の鉢に及ぼす通水経路は図６のものに限定されるものではない。
【産業上の利用可能性】
【００７３】  本発明は園芸用鉢による植物の栽培、観賞等や、園芸用鉢及びその受皿の展示、保管等の分野に適用できる。
【図面の簡単な説明】
【００７４】
【図１】  本発明に係る園芸用鉢の受皿装置の１例の断面図である。
【図２】  本発明に係る園芸用鉢の受皿装置の他の例の断面図である。
【図３】  本発明に係る園芸用鉢の受皿装置のさらに他の例の、一部を省略して示す断面図である。
【図４】  本発明に係る園芸用鉢の受皿装置のさらに他の例の、一部を省略して示す断面図である。
【図５】  本発明に係る園芸用鉢の受皿装置のさらに他の例の、一部を省略して示す断面図である。
【図６】  本発明に係る園芸用鉢の受皿装置セットの１例の、一部を省略して示す断面図である。
【符号の説明】
【００７５】Ｐ、Ｐ１  園芸用鉢                        ４  園芸用鉢の受皿装置
Ｐｏ、Ｐｏ１  鉢の上端開口部              １３０  取付け部材
Ｈ、Ｈ１  鉢底の排水孔                    １３５  物品載置台
１  園芸用鉢の受皿装置                    ５  園芸用鉢の受皿装置
１１  受皿                                １１４  受皿下面の円錐形穴
１１１  受皿突起部                        １５  取付け部材
１１２  雄ねじ部                          １５１  雌ねじ穴
１２  取付け部材                          １５２  支持翼部
１２１  雌ねじ部                          １５３  突起部
１２２  支持足部                          １５４  フランジ
２  園芸用鉢の受皿装置                    ６０  園芸用鉢の受皿装置セット
１３  取付け部材                          ６Ａ  園芸用鉢の受皿装置
１３１  雌ねじ部                          １１５  受皿下面の雌ねじ穴
１３２  通水孔                            １１６  通水孔
１３３  破断により通水孔となる薄膜部      １６  取付け部材
１３４  通水孔                            １６１  フック係合孔
１３５  取付け部材１３の上端開口          ６Ｂ  園芸用鉢の受皿装置
３  園芸用鉢の受皿装置                    １７  取付け部材
１１３  受皿突起部のピン挿通孔            １７１  雄ねじ部
１４  取付け部材                          １７２  フランジ
ｈ  部材１４のピン孔                      １７３、１７４  通水路
１４１  フランジ                          Ｗ  排水管
１４２  ピン
１４３  フック係合孔
１４４  通水孔
Ｆ  フック
【図１】
2005058196.tif 000003
【図２】
2005058196.tif 000004
【図３】
2005058196.tif 000005
【図４】
2005058196.tif 000006
【図５】
2005058196.tif 000007
【図６】
2005058196.tif 000008